(57)【要約】【課題】  コンピュータへ接続したり、ディスプレイを設けたりすることも不要とし、動画データの中から印刷したい静止画を簡単に指定し、印刷できるようにする。【解決手段】  ディジタルカメラや携帯電話に装着可能で動画データの保存可能なメモリカードなどのメディアから動画データを読み出すとともに、そのダイジェストとしての複数の静止画２１０とともに、各静止画についての印刷有無および印刷時の制御情報を指定する印刷制御情報指定領域２２０をレイアウトシート２００に印刷する。利用者が印刷制御情報指定領域２２０に対して所望のマーキングを行い、このレイアウトシート２００をスキャナで読み取らせることによって、該当の静止画を利用者が指定した印刷制御情報に基づいて印刷出力する。【選択図】  図２
2006173907.tif 000002
【特許請求の範囲】
【請求項１】
所定のメディアから読み取られた動画データを静止画データに変換する動画処理手段を備えたプリント装置において、
前記動画処理手段により変換された複数の静止画データの静止画と、各静止画についての印刷制御情報を指定する印刷制御情報指定領域とを用紙に印刷してレイアウトシートを作成するレイアウトシート作成手段と、
利用者によって前記印刷制御情報が指定された前記レイアウトシートを読み取るレイアウトシート読み取り手段と、
前記レイアウトシート読み取り手段で読み取られたデータから、印刷指定された静止画の印刷制御情報を解析する印刷制御情報解析手段と、
前記印刷指定された静止画の静止画データおよび前記印刷制御情報に基づいて、前記指定された静止画の印刷を行う印刷制御手段と
を備えた動画像プリント装置。
【請求項２】
前記所定のメディアは、ディジタルカメラまたは携帯電話に装着可能で動画データが保存可能なメモリカードである請求項1記載の動画像プリント装置。
【請求項３】
前記印刷制御情報は、印刷方法、印刷方向、拡大縮小指定、印刷品質、プリント枚数のうち少なくともいずれか１つの項目を含む請求項1または２に記載の動画像プリント装置。
【請求項４】
前記レイアウトシート作成手段は、前記利用者によって指定された個数だけ、前記静止画と前記印刷制御情報指定領域を前記レイアウトシートに印刷するものである請求項1〜３のいずれかに記載の動画像プリント装置。
【請求項５】
前記レイアウトシート作成手段は、印刷方法、印刷方向、拡大縮小指定、印刷品質、プリント枚数の項目のうち、前記利用者が選択した項目を前記レイアウトシートに印刷するものである請求項1〜４のいずれかに記載の動画像プリント装置。
【請求項６】
前記レイアウトシート作成手段は、前記印刷制御情報指定領域に筆記具によってマーキング可能なマークシートパターンを作成するものである請求項1〜５のいずれかに記載の動画像プリント装置。
【請求項７】
前記印刷制御手段は、前記印刷制御情報指定領域に対して指定されなかった印刷制御情報を補完するものである請求項1〜６のいずれかに記載の動画像プリント装置。
【発明の詳細な説明】
【技術分野】
【０００１】
この発明は動画データを基に所定の静止画をプリントする動画像プリント装置に関するものである。
【背景技術】
【０００２】
近年、ディジタルカメラや携帯電話などでも比較的長時間の動画撮影が可能となり、動画データを保存する機会が増している。それに伴い、動画データを印刷する機会も増しつつある。
【０００３】
動画データを印刷する方法としては、特許文献１，２に見られるように、動画データを一旦コンピュータに取り込み、動画データから抽出された静止画の一覧をディスプレイに表示し、その一覧の中から利用者が所望の画像を選択し、その選択された画像を印刷させる方法や、プリンタに搭載されたディスプレイに動画を表示しながら印刷したい場面で利用者が印刷指示を行うことによって、その静止画を印刷させる方法があった。
【０００４】
また、特許文献３のように、プリンタが動画データから静止画データを任意の方法で取り出し、その複数の静止画の一覧を1ページにまとめて印刷する方法もあった。
【特許文献１】特開２００３−２１９３６１公報
【特許文献２】特開平５−２３４３４１号公報
【特許文献３】特開平９−１３０５９１号公報
【発明の開示】
【発明が解決しようとする課題】
【０００５】
しかしながら、特許文献１，２の方法では、動画データから静止画を得るために、ディスプレイを有するコンピュータが必要となり、そのコンピュータの操作によって所望の静止画を選択する必要があり、コストが嵩み、印刷までに手間が掛かるという問題があった。
【０００６】
また、特許文献３のように、ディスプレイを有するプリント装置では、ディスプレイを設けることによってコストが大幅に嵩んでしまう。また、動画を見ながら必要な静止画を選択する必要があるため、動画を観る時間が掛かり、印刷したい静止画を動画の再生時の表示タイミングで指示しなければならないため、利用者に掛かる負担が大きくなる。
【０００７】
なお、コンピュータと接続しないで、且つディスプレイを有さないプリンタでは、動画データから抽出した静止画を縮小配列して印刷することはできても、縮小しないそのままの大きさの静止画を得ることは難しい。
【０００８】
本発明の目的は、これらの課題を解決し、コンピュータへ接続したり、ディスプレイを設けたりすることも不要とし、動画データの中から印刷したい静止画を簡単に指定し、印刷できるようにした動画像プリント装置を提供することにある。
【課題を解決するための手段】
【０００９】
（１）この発明の動画像プリント装置は、所定のメディアから読み取られた動画データを静止画データに変換する動画処理手段を備え、この動画処理手段により変換された複数の静止画データの静止画と、各静止画についての印刷制御情報を指定する印刷制御情報指定領域とを用紙に印刷してレイアウトシートを作成するレイアウトシート作成手段と、利用者によって前記印刷制御情報が記入された前記レイアウトシートを読み取るレイアウトシート読み取り手段と、前記レイアウトシート読み取り手段で読み取られたデータから印刷指定された静止画の印刷制御情報を解析する印刷制御情報解析手段と、前記印刷指定された静止画の静止画データおよび前記印刷制御情報に基づいて、前記指定された静止画の印刷を行う印刷制御手段とを備えたことを特徴としている。
【００１０】
（２）前記所定のメディアは、たとえばディジタルカメラまたは携帯電話に装着可能で動画データが保存可能なメモリカードである。
【００１１】
（３）前記印刷制御情報は、印刷方法、印刷方向、拡大縮小指定、印刷品質、プリント枚数のうち少なくともいずれか１つの項目を含む。
【００１２】
（４）前記レイアウトシート作成手段は、たとえば利用者によって指定された個数だけ静止画と印刷制御情報指定領域を前記レイアウトシートに印刷するものとする。
【００１３】
（５）前記レイアウトシート作成手段は、たとえば印刷方法、印刷方向、拡大縮小指定、印刷品質、プリント枚数の項目のうち、前記利用者が選択した項目を前記レイアウトシートに印刷するものとする。
【００１４】
（６）前記レイアウトシート作成手段は、印刷制御情報指定領域に鉛筆などの筆記具によってマーキング可能なマークシートパターンを作成するものとする。
【００１５】
（７）前記印刷制御手段は、印刷制御情報指定領域に対して指定されなかった印刷制御情報を補完するものとする。
【発明の効果】
【００１６】
（１）コンピュータとの接続を必要とせず、また静止画を表示する表示装置を備えなくても、動画データから変換可能な複数の静止画のうちどの静止画をどのように印刷するかの指定を利用者が指定することができる。その結果、装置を低コストに構成でき、且つ利用者は容易な操作でプリントすべき静止画を指定できる。
【００１７】
（２）前記メディアをディジタルカメラまたは携帯電話に装着可能で動画データの保存可能なメモリカードとすることにより、そのメモリカードをプリント装置に直接装着すれば、ディジタルカメラまたは携帯電話で撮影した動画のうち所定の静止画を容易にプリントできるようになる。
【００１８】
（３）前記印刷制御情報として、印刷方法（カラープリント・モノクロプリント）印刷方向（縦向き・横向き）、拡大縮小指定（等倍・２倍）、印刷品質（速度優先・精度優先）、プリント枚数、のうち少なくともいずれか１つを含むことによって、印刷制御に関する自由度が高くなり、利用者の多様な目的に適応できる。
【００１９】
（４）前記レイアウトシートに、利用者が指定した個数だけ静止画と印刷制御情報指定領域を印刷可能とすることにより、レイアウトシートに対する複数の静止画の個数とサイズを選択できるようになり、選択可能とする静止画の数に応じて、または選択すべき静止画をどれだけの精度で印刷するかの目的に応じて、最適なレイアウトシートを作成できるようになる。
【００２０】
（５）前記印刷制御情報指定領域に含める項目として、印刷方法、印刷方向、拡大縮小指定、印刷品質、プリント枚数のうち、必要な項目だけを選択可能項目としてレイアウトシートに印刷することによって、必要な印刷制御情報の指定が容易となる。
【００２１】
（６）印刷制御情報指定領域にマークシートパターンを作成することによって、鉛筆などの筆記具によってマーキングするだけでよくなり、前記印刷制御情報の指定が容易となる。
【００２２】
（７）印刷制御情報指定領域に対する指定が無い項目については、それを既定値として印刷制御情報を補完することにより、利用者による印刷制御情報の指定が容易となる。
【発明を実施するための最良の形態】
【００２３】
この発明の実施形態である動画像プリント装置について各図を参照して説明する。
図１は動画像プリント装置の構成を示すブロック図である。この動画像プリント装置は、プリンタ１００、スキャナ１０１、外部インタフェース１０２、メモリ１０３、動画処理部１０４、画像解析部１０５、印刷制御部１０６がシステムバス１０７に接続したものである。ここでプリンタ１００は後に示すレイアウトシートや静止画を印刷する。スキャナ１０１は、利用者が印刷制御情報を記入したレイアウトシートを読み取る。外部インタフェース１０２はＳＤカードなどの記録メディア４００に記録されている動画データを読み取る。メモリ１０３はレイアウトシートの印刷データや静止画の印刷データを格納し、また上記外部インタフェース１０２を介してメディア４００から読み込んだ動画データを処理するために一時記憶する。動画処理部１０４は上記動画データを静止画データに変換する。画像解析部１０５はスキャナ１０１によって読み取られたレイアウトシートのイメージ情報の解析を行い、印刷指定された静止画と、その静止画をどのように印刷するかを表す印刷制御情報を認識する。印刷制御部１０６は動画処理部１０４によって変換された静止画データと、必要な印刷制御情報指定領域を含むレイアウトシートの印刷データを作成し、また指定された静止画を指定された印刷制御情報に基づいて静止画として印刷するための印刷データを作成する。さらにこれらの印刷データを基にプリンタ１００を制御して用紙に印刷出力を行う。
【００２４】
なお、この動画像プリント装置はコピー機として利用する際にスキャナ１０１を用いる。すなわち、スキャナ１０１で読み取った画像情報をそのままイメージとしてプリントすることによって複写画像を印刷する。
【００２５】
図２は、利用者が１枚に印刷する静止画の枚数を１２枚と設定した場合に印刷されるレイアウトシートの例である。静止画００〜静止画３２で示した領域には実際にはカラーまたはモノクロでそれぞれ個別の静止画が印刷される。各静止画の下部には、その静止画を印刷するか否か、印刷する場合にどのように印刷するかを指定する印刷制御情報指定領域２２０をそれぞれ設けている。また、このレイアウトシート２００内には動画データ識別コード（番号）の印刷領域２３０を設けていて、この個所に印刷された内容を後にスキャナで読み取ることによって、このレイアウトシートがどの動画データに関する印刷制御情報指定用のレイアウトシートであるかを識別可能とする。
【００２６】
図３は、図２に示した複数の印刷制御情報指定領域２２０のうち１つの印刷制御情報指定領域２２０の拡大図である。この領域は、印刷方法を指定する領域２２１、印刷方向を指定する領域２２２、印刷のサイズを指定する領域２２３、印刷の品質を指定する領域２２４および印刷枚数を指定する領域２２５を備えている。
【００２７】
この印刷制御情報指定領域はマークシートパターンとしていて、鉛筆やボールペンなどによる楕円内を塗り潰したり楕円をなぞって太くしたりする等のマーキングによって印刷制御情報を指定する。印刷方法としてはカラー印刷かモノクロ印刷かの選択を可能とし、印刷方向としては縦向き印刷か横向き印刷かの選択を可能とし、サイズとしては等倍印刷か２倍印刷かの選択を可能とし、印刷の品質としては速度優先印刷か精度優先印刷かの選択可能としている。また枚数としては０枚、１枚、２枚のいずれかを選択可能としている。
【００２８】
たとえば図２に示した［静止画１２］を１枚プリントする場合、その下部に設けた印刷制御情報指定領域２２０の、枚数を指定する領域２２５の「１枚」をマーキングする。そして、それをカラー印刷するのであれば、印刷方法を指定する領域２２１の「カラー」をマーキングする。また横向きに印刷するのであれば、印刷方法を指定する領域２２２の「横」をマーキングする。また２倍のサイズで印刷するのであれば、サイズを指定する領域２２３の「２倍」をマーキングする。さらに高速で印刷する場合には、品質の指定領域２２４の「はやい」をマーキングする。
【００２９】
但し、これらの印刷制御情報の指定は必須ではなく、指定しなければ、あらかじめ定めたいずれかの指定がなされたものとして処理する。図３において、各項目の欄の最も左側の指定を既定（デフォルト）とする。すなわち、印刷方法のデフォルトは「カラー」であるので、印刷方法を指定する領域２２１の指定が行われなかった場合、「カラー」が指定されたものとして扱い、カラー印刷する。また、印刷方向のデフォルトは「縦」であるので、印刷方向を指定する領域２２２の指定が行われなかった場合、「縦」向きが指定されたものとして扱い、縦向きに印刷する。またサイズのデフォルトは「等倍」であるので、サイズを指定する領域２２３の指定が行われなかった場合、「等倍」が指定されたものとして扱い、等倍で印刷する。また品質のデフォルトは「はやい」であるので、品質を指定する領域２２４の指定が行われなかった場合、「はやい」が指定されたものとして扱い、速度優先印刷する。さらに、枚数のデフォルトは「０枚」であるので、品質を指定する領域２２５の指定が行われなかった場合、枚数「０枚」が指定されたものとして扱い、印刷出力しない。したがって、印刷を行わない静止画については、その静止画の印刷制御情報指定領域内の枚数として「０枚」をわざわざマーキングする必要は無い。また、枚数として「１枚」の指定だけを行えば、その静止画がカラーで、縦向きで、等倍で、速度優先で印刷されることになる。
【００３０】
なお、このようなデフォルトの設定は、様々に設定可能である。たとえば印刷制御情報指定領域内で全ての項目について指定されなければ、その静止画については印刷出力しないが、枚数が指定されずに、その他の項目に何らかの指定があれば、その静止画について１枚だけ印刷出力するようにしてもよい。
【００３１】
このように利用者がマーキングしたレイアウトシートはスキャナ１０１で読み取る。このことによって、レイアウトシートの印刷情報指定領域で指定された静止画について印刷制御を行ってプリンタ１００により静止画を印刷出力する。図４はその印刷結果の例を示している。この例は、印刷方向として横向きを指定した例であり、用紙３００に対して、それを横向きにした状態で横向きの静止画が印刷される。この図４において「静止画」と表した領域に実際には静止画が印刷される。なお、図２に示したレイアウトシート２００もこの図４に示した静止画も印刷用紙は同じ白紙である。但し、レイアウトシートを保存用として印刷しないのであれば、低価格の普通紙を用いてレイアウトシートを印刷し、単体の静止画を写真用の用紙に印刷するようにしてもよい。
【００３２】
図５〜図８は図１に示した動画像プリント装置１の処理手順を示すフローチャートである。
図５はレイアウトシート印刷前の必要なパラメータの設定処理についてのフローチャートである。まず、レイアウトシートの枚数とレイアウトシートとして印刷する静止画のコマ数の指定を読み取る（Ｓ１１）。図２に示した例では１枚のレイアウトシートに１２コマの静止画を印刷した例を示したが、このコマ数はあらかじめ定めた範囲内で利用者が設定できるようにしている。そのコマ数はＤＩＰスイッチや操作パネルの操作によって指定する。また、印刷制御情報の選択可能な項目としてどの項目をレイアウトシートの印刷制御情報指定領域に印刷するかの設定を読み取る（Ｓ１２）。図３では、印刷制御情報指定領域に、印刷方法、印刷方向、サイズ、品質、枚数の各項目を印刷した例を示したが、これらの項目を全て印刷するのではなく、必要な項目だけを印刷できるようにする。たとえば印刷方向と品質だけを印刷制御情報指定領域に印刷する設定とすれば、レイアウトシートの印刷情報指定領域には印刷方向と品質の項目だけが印刷され、利用者にとっては印刷方向と品質だけを指定すればよいことになる。この場合にも、他の項目（印刷方法、サイズ、枚数など）についてはデフォルト値が適用される。
【００３３】
図６はレイアウトシートの印刷手順を示している。まず、処理対象である動画データを、外部インタフェース１０２を介しメディア４００から読み出す（Ｓ２１）。そして、この動画データの全体のコマ数と、前記ステップＳ１１で読み取った、レイアウトシートの枚数とレイアウトシートに印刷する静止画のコマ数との関係から間引き間隔を算出する（Ｓ２２）。すなわち、動画データの全体が指定枚数のレイアウトシートにダイジェストとして印刷されるようにする。たとえばレイアウトシート１枚、印刷するコマ数を１２とした時、動画データが２４０コマの静止画データから成り立っている場合、２０コマ毎に、計１２枚の静止画をレイアウトシートに印刷するように、間引き間隔を２０コマまたは２１コマとする。また、レイアウトシート４枚、印刷するコマ数を１２とした時は、動画データが２４０コマの静止画から成り立っている場合、５コマ毎に、計１２枚の静止画をレイアウトシートに印刷するように、間引き間隔を５コマとする。そして、動画データから順次静止画としての画像データを読み出すとともに、レイアウトシートの１コマの静止画として抽出すべき位置の画像データを静止画データに変換する（Ｓ２３→Ｓ２４）。最も簡単な処理としては、動画データが複数コマの静止画データから成り立っている場合に、所定コマ数目の静止画データを抽出するだけでよい。しかし、高品質な静止画を印刷するためには、各画素について動画データの時間的または空間的に隣接する画素を参照して１つの静止画データを生成する。
【００３４】
また、図２に示したように、各静止画２１０の下部に印刷制御情報指定領域２２０を印刷するための印刷データを作成する（Ｓ２５）。この時、ステップＳ１２で読み取った選択可能項目に応じてその印刷データを作成する。
【００３５】
以上の処理を１つの動画データについて行う（Ｓ２６→Ｓ２１→・・・）。その後、１枚のレイアウトシート２００を印刷する（Ｓ２７）。
【００３６】
図７は上記レイアウトシートを基にして静止画を印刷するまでの処理手順を示すフローチャートである。まずスキャナ１０１でレイアウトシート２００を読み取り、その読み取ったデータを解析する（Ｓ３１→Ｓ３２）。
【００３７】
この解析処理では次の処理を行う。
【００３８】
（１）図２に示したレイアウトシート２００内の動画データ識別コード領域２３０から動画データ識別コードを認識する。
【００３９】
（２）印刷制御情報指定領域２２０へのマーキング状態を読み取って、どの静止画（何コマ目の静止画）に対しての指定であるのかを検知し、且つその印刷制御情報の指定内容を認識する。
【００４０】
その後、印刷すべき静止画データを動画データ内から抽出し、その静止画について指定された印刷制御情報に基づいて、その静止画の印刷データを生成する（Ｓ３３→Ｓ３４）。そして、その静止画を印刷する（Ｓ３５）。
以上の処理を、指定された全ての静止画について行う（Ｓ３６→Ｓ３３→・・・）。
【００４１】
なお、レイアウトシートを読み取らせる際に、それが現在装着されているメモリカード内の動画データに対する印刷制御情報指定用のレイアウトシートであるものに限ることにすれば、上記動画データ識別コード領域２３０は必須ではない。
【００４２】
図８は印刷制御情報の各項目についてデフォルトの指定をどのように行うかの一例を示している。この図８は印刷方法の指定に関する例である。印刷方法として、利用者が「カラー」を指定した場合には、印刷方法を当然に「カラー」に設定する（Ｓ４１→Ｓ４３）。同様に、利用者が印刷方法として「モノクロ」を指定した場合には、印刷方法を「モノクロ」に設定する（Ｓ４２→Ｓ４４）。また、利用者が印刷方法を指定しなかった場合には、印刷方法として「カラー」を設定する（Ｓ４１→Ｓ４２→Ｓ４３）。
【００４３】
その他の項目についても同様の処理によって、既に述べた例のようにデフォルト設定を行う。
【図面の簡単な説明】
【００４４】
【図１】この発明の実施形態に係る動画像プリント装置の構成を示すブロック図である。
【図２】レイアウトシートの印刷例を示す図である。
【図３】同レイアウトシート内の印刷制御情報指定領域の例を示す図である。
【図４】静止画の印刷結果の例を示す図である。
【図５】レイアウトシート印刷のためのパラメータの読み取り処理について示すフローチャートである。
【図６】レイアウトシートの印刷処理の手順を示すフローチャートである。
【図７】レイアウトシートを基に静止画を印刷する手順を示すフローチャートである。
【図８】印刷制御情報の指定に関する処理手順を示すフローチャートである。
【符号の説明】
【００４５】
１−動画像プリント装置
２００−レイアウトシート
２２０−印刷制御情報指定領域
２３０−動画データ識別コード領域
３００−用紙
【図１】
2006173907.tif 000003
【図２】
2006173907.tif 000004
【図３】
2006173907.tif 000005
【図４】
2006173907.tif 000006
【図５】
2006173907.tif 000007
【図６】
2006173907.tif 000008
【図７】
2006173907.tif 000009
【図８】
2006173907.tif 000010